(57)【要約】【課題】基板相互が交差する場合においてこれらの基板間を適切に接続することができるプラグ、対応するジャック、これらを含むコネクタを提供すること。【解決手段】本発明によるプラグ２は、一方基板Ｐ１に実装されるプラグ２であって、一方基板Ｐ１に接続される一方接続部２１ａと、接触子２１ｂと、接触子２１ｂと一方接続部２１ａを接続する一方導体部２１ｃと、を含み、一方接続部２１ａと接触子２１ｂとは相互に垂直をなし、接触子２１ｂは一方導体部２１ｃ側に対して反対側が４５度捩られる形態に形成されることを特徴とする。【選択図】図１
2013134926.tif 000002
【特許請求の範囲】
【請求項１】
一方基板に実装されるプラグであって、前記一方基板に接続される一方接続部と、接触子と、当該接触子と前記一方接続部を接続する一方導体部と、を含み、前記一方接続部と前記接触子とは相互に垂直をなし、前記接触子は前記一方導体部側に対して反対側が４５度捩られる形態に形成されることを特徴とするプラグ。
【請求項２】
他方基板に実装されるジャックであって、前記他方基板に接続される他方接続部と、被接触子と、当該被接触子と前記他方接続部を接続する他方導体部と、を含み、前記他方接続部と前記被接触子とは相互に垂直をなし、前記被接触子は前記他方導体部側に対して反対側が４５度捩られる形態に形成されることを特徴とするジャック。
【請求項３】
請求項１に記載のプラグと請求項２に記載のジャックを含むコネクタであって、前記ジャックは前記プラグの含む前記接触子に対応する前記被接触子を有し、前記接触子の捩られる方向と前記被接触子の捩られる方向が同一であることを特徴とするコネクタ。
【請求項４】
前記接触子は行列をなして配列されるとともに、行方向において隣接する前記接触子の組合せの一方は接地用であり他方は信号用であることを特徴とする請求項３に記載のコネクタ。
【請求項５】
前記接触子は列単位に形成されるモジュール毎に前記行方向に配列されることを特徴とする請求項４に記載のコネクタ。
【請求項６】
列方向において隣接する前記接触子の組合せの一方は接地用であり他方は信号用であることを特徴とする請求項４又は５に記載のコネクタ。
【請求項７】
前記列方向において隣接する前記一方導体部の組合せの一方は接地用であり他方は信号用であることを特徴とする請求項６に記載のコネクタ。
【請求項８】
信号用の前記接触子は一対のプラス信号用接触子とマイナス信号用接触子を含み、当該プラス信号用接触子と当該マイナス信号用接触子にそれぞれ対応させて、信号用の前記一方導体部は一対のプラス信号用導体部とマイナス信号用導体部を含み、信号用の前記一方接続部は一対のプラス信号用接続部とマイナス信号用接続部を含むことを特徴とする請求項７に記載のコネクタ。
【請求項９】
前記プラス信号用接続部及び前記マイナス信号用接続部と、接地用の前記一方接続部は前記プラグと前記ジャックの嵌合する嵌合方向に等間隔に配列されることを特徴とする請求項８に記載のコネクタ。
【請求項１０】
前記プラス信号用接続部及び前記マイナス信号用接続部と、接地用の前記一方接続部は前記列方向に交互に配列されることを特徴とする請求項９に記載のコネクタ。
【請求項１１】
接地用の前記接触子を相互に電気的に接続する接地用板金を含むことを特徴とする請求項４〜１０のいずれか一項に記載のコネクタ。
【発明の詳細な説明】
【技術分野】
【０００１】
本発明は、基板相互間等の信号授受及び接地用の電気的接続に適用されて好適なプラグ、ジャック、コネクタに関する。
【背景技術】
【０００２】
電子装置内の基板相互間等において、例えば、信号線、接地線を含んで脱着可能に電気的に接続するにあたっては、一般的にコネクタが用いられる。このような用途のコネクタとしては、例えば特許文献１に記載されたようなものがある。
【０００３】
特許文献１に記載されたコネクタは、一方の基板であるドータカードに対して突き当て方向に垂直な他方の基板であるマザーボードを接続するにあたり、ドータカードに接続される側をライトアングル型のプラグとし、マザーボードに接続される側をストレートアングル型のジャックとしている。なお、ライトアングル型とは、接触子とドータカードとの接続部とが相互に垂直をなす形態を指し、ストレートアングル型とは接触子とマザーボードとの接続部とが相互に平行をなす形態を指している。
【先行技術文献】
【特許文献】
【０００４】
【特許文献１】特表２００４−５００６８４号公報
【発明の概要】
【発明が解決しようとする課題】
【０００５】
ところが、このようなコネクタにおいては、一方の基板の端部が他方の基板の面に突き当てられる形態ではなく、一方の基板と他方の基板が相互に捻れの関係にありかつ垂直をなして交差する場合において、適切な電気的接続を実現することができなかった。
【０００６】
本発明は、上記問題に鑑み、基板相互が交差する場合においてこれらの基板間を適切に接続することができるプラグ、これに対応するジャック、これらの双方を含むコネクタを提供することを目的とする。
【課題を解決するための手段】
【０００７】
上記の問題を解決するため、本発明に係るプラグは、
一方基板に実装されるプラグであって、前記一方基板に接続される一方接続部と、接触子と、当該接触子と前記一方接続部を接続する一方導体部と、を含み、前記一方接続部と前記接触子とは相互に垂直をなし、前記接触子は前記一方導体部側に対して反対側が４５度捩られる形態に形成されることを特徴とする。
【０００８】
上記問題を解決するため、本発明に係るジャックは、
他方基板に実装されるジャックであって、前記他方基板に接続される他方接続部と、被接触子と、当該被接触子と前記他方接続部を接続する他方導体部と、を含み、前記他方接続部と前記被接触子とは相互に垂直をなし、前記被接触子は前記他方導体部側に対して反対側が４５度捩られる形態に形成されることを特徴とする。
【０００９】
上記の問題を解決するため、本発明に係るコネクタは、
前記プラグと前記ジャックを含むコネクタであって、前記ジャックは前記プラグの含む前記接触子に対応する前記被接触子を有し、前記接触子の捩られる方向と前記被接触子の捩られる方向が同一であることを特徴とする。
【発明の効果】
【００１０】
本発明によれば、接続対象となる一方基板と他方基板が接続方向の周方向に相互に垂直をなす捩れ位置の関係にある場合において、一方基板と他方基板を適切に電気的に接続することができる、一方基板側に接続されるプラグと、他方基板側に接続されるジャック、これらを含むコネクタを提供することができる。これにより、信号の伝送品質の向上とコストダウンを図れる。
【図面の簡単な説明】
【００１１】
【図１】本発明に係る本実施例のコネクタ１の一実施形態について嵌合前のプラグ２とジャック３をプラグ２側から視て示す模式斜視図である。
【図２】本実施例のコネクタ１の一実施形態について嵌合前の形態をジャック３側から視て示す模式斜視図である。
【図３】本実施例のコネクタ１の含むプラグ２内のプラグモジュール２０の一実施形態について示す模式斜視図である。
【図４】本実施例のコネクタ１の含むプラグ２内の列方向に隣接して並列するプラグモジュール２０の端子配列形態を示す模式図である。
【図５】本実施例のコネクタ１の含むプラグ２内のプラグモジュール２０において列方向に並列する導体板の形態示す模式斜視図である。
【図６】本実施例のコネクタ１の含むプラグ２内のプラグモジュール２０における導体板の側面視を示す模式図である。
【図７】本実施例のコネクタ１の含むジャック３内のジャックモジュール３０の一実施形態について示す模式斜視図である。
【図８】本実施例のコネクタ１の一実施形態について嵌合後の形態を示す模式斜視図である。
【図９】本実施例のコネクタ１のプラグ２が含むグランド板金２４（接地用板金）の具体的形態を示す模式斜視図である。
【図１０】本実施例のコネクタ１のプラグ２についてグランド板金２４を含めた端子配列態様を示す模式図である。
【図１１】本実施例のコネクタ１のプラグ２についてグランド板金２４と嵌合口部２３及びプラグモジュール２０の組立態様を示す模式斜視図である。
【発明を実施するための形態】
【００１２】
以下、本発明を実施するための形態について、添付図面を参照しながら説明する。
【実施例】
【００１３】
図１に示すように、本実施例のコネクタ１は、プラグ２とジャック３を含むコネクタ１であって、一方基板Ｐ１と他方基板Ｐ２とが相互に捻れの位置関係にありかつ垂直をなしている。ここで捻れの位置関係とは、一方基板Ｐ１を、プラグ２とジャック３の嵌合方向つまり接続方向に対して周方向に９０度回転させた場合に、他方基板Ｐ２と平行となる位置関係を指す。図２は、ジャック３側からの斜視を示す。なお、一方基板Ｐ１と他方基板Ｐ２は図示しない電子機器の筐体つまりシェルの具備する支持構造により適宜支持されている。
【００１４】
プラグ２は一方基板Ｐ１に実装されるものであり、図３（ａ）に示すように、一方基板Ｐ１に電気的に接続される一方接続部２１ａ（プレスフィット部）と、接触子２１ｂと、接触子２１ｂと一方接続部２１ａを接続する一方導体部２１ｃと、を含み、一方接続部２１ａと接触子２１ｂとは相互に垂直をなし、接触子２１ｂは一方導体部２１ｃ側の根元に対して反対側つまり先端側が４５度捩られる形態に形成される。
【００１５】
一方接続部２１ａ、一方導体部２１ｃ、接触子２１ｂは、１３５度の角度を有して折り曲げられる折り曲げ部を二箇所有する、逆Ｌ字型の平板状の一方導体板２１の一部として構成される。この逆Ｌ字型の一方導体板２１は折り曲げの外周側から内周側に向けて８群並列されて、適宜の材質の絶縁体を射出成型することにより構成されるフレーム２２により外包される。フレーム２２は、逆Ｌ字型のなす方向を擬似的な周方向と視た場合、周方向と径方向にそれぞれ延びる適宜の骨格部を有し、骨格部以外に適宜空隙部を有して、この空隙部により一方導体板２１は適宜放熱される。
【００１６】
一方導体板２１は信号用と接地用の二種別を有しており、図３（ａ）中最外周側から内周側に向けて、信号用と接地用が交互に並列される。さらに、信号用の一方導体板２１が図３（ａ）中左側において含む、接触子２１ｂは一対のプラス信号用接触子２１ｂａとマイナス信号用接触子２１ｂｂを含み、プラス信号用接触子２１ｂａとマイナス信号用接触子２１ｂｂにそれぞれ対応させて、信号用の一方導体部２１ｃは一対のプラス信号用導体部２１ｃａとマイナス信号用導体部２１ｃｂを含み、信号用の一方接続部２１ａは一対のプラス信号用接続部２１ａａとマイナス信号用接続部２１ａｂを含む。
【００１７】
つまり図３（ａ）中の嵌合方向から視て示す図３（ｂ）に示すように、ジャック３側に対向する対向面において、上述した最外周側から内周側に向けて、信号用の接触子２１ｂと接地用の接触子２１ｂが交互に並列され、信号用の接触子２１ｂは、図３（ｂ）中において上側にプラス信号用接触子２１ｂａを含み、下側にマイナス信号用接触子２１ｂｂを含む。
【００１８】
この場合、図３（ａ）中に示すように、プラス信号用接続部２１ａａ及びマイナス信号用接続部２１ａｂと、接地用の一方接続部２１ａは図３（ａ）中奥行き方向、つまり一方基板Ｐ１との接続面内での嵌合方向に等間隔に配列される。
【００１９】
なお、図３に示した一方導体板２１の群とフレーム２２により構成されるプラグモジュール２０は、プラグ２の列方向において隣接するものが相互に異なる二種別を有しており、図４中右側に示すような、最外周側つまり最上部に信号用の接触子２１ｂを有する種別Ａと、図４中左側に示すような、最上部に接地用の接触子２１ｂを有する種別Ｂを具備している。
【００２０】
これに対応させて、一方基板Ｐ１との接続面内において、種別Ｂのプラグモジュール２０の有する接地用の一方接続部２１ａと、プラス信号用接続部２１ａａ及びマイナス信号用接続部２１ａｂとは、一方基板Ｐ１との接続面内の嵌合方向に等間隔に配列されるとともに、隣接する種別Ａのプラス信号用接続部２１ａａ及びマイナス信号用接続部２１ａｂと、接地用の一方接続部２１ａに対しては嵌合方向に上述した等間隔の半分ずれて配置される。
【００２１】
上述したプラグモジュール２０の種別Ａの具備する一方導体板２１の群と、種別Ｂの具備する一方導体板２１の群の配列と形態を図５に示す。図５中右側の群が種別Ａであり、左側の群が種別Ｂである。一対のプラス信号用接触子２１ｂａとマイナス信号用接触子２１ｂｂは、図５中縦方向、つまり行方向において、一つおきに位置しており、左右方向つまり列方向においても一つおきに位置している。
【００２２】
図５中において、一対のプラス信号用接触子２１ｂａとマイナス信号用接触子２１ｂｂは、それぞれが属する一方導体板２１のプラス信号用導体部２１ｃａとマイナス信号用導体部２１ｃｂ側の根元に対して反対側が同一の方向に４５度に捩られている。プラス信号用導体部２１ｃａに対してプラス信号用接触子２１ｂａは、図５中左方にオフセットされながら捩られ、マイナス信号用導体部２１ｃｂに対してマイナス信号用接触子２１ｂｂは図５中右方にオフセットされながら捩られている。
【００２３】
つまり一対のプラス信号用接触子２１ｂａとマイナス信号用接触子２１ｂｂは、対向面内において列方向に相互に逆方向にオフセットされながら同一方向に捩られて、対向面内において、相互に対向しながら平行をなす。すなわち、対向面内において、プラス信号用接触子２１ｂａとマイナス信号用接触子２１ｂｂは、それぞれの有する長方形状の外輪郭が相互に平行をなし、長方形状の長辺方向の端部を相互に揃えて配置される。
【００２４】
ここで、一方導体板２１は、銅合金等の導電性と弾性を有する単一の弾性部材を適宜プレス加工、折り曲げ加工等を施すことにより構成される。すなわち上述した捩られる工程はこれらの工程にて行われる。一方導体板２１の接触子２１ｂの表面については必要により適宜メッキ処理がなされる。
【００２５】
なお、プラス信号用導体部２１ｃａはマイナス信号用導体部２１ｃｂの外周側に位置して、全体として逆Ｌ字型をなして、双方の内周側に位置する接地用の一方導体板２１と径方向の幅はほぼ同等としている。本実施例では図５に示すように信号用と接地用の端子群は最外周側から再内周側に向けて四群配列される。
【００２６】
最内周側の信号用の一方導体板２１のプラス信号用導体部２１ｃａとマイナス信号用導体部２１ｃｂは、それ以外のものに比べて径方向の幅を狭小に構成している。また、図６に示すように、種別Ｂ用の一方導体部２１の群は、最外周側に接地用の一方導体部２１が位置しており、内周側に向けて信号用、接地用が交互に配列される。
【００２７】
この相互に異なる種別のプラグモジュール２０を、図１に示すように、交互に列方向に８列並列して積層し、ジャック３との嵌合を可能とする嵌合口部２３により一体的に束ねることにより、プラグ２が構成される。なお、嵌合口部２３は、適宜の材質の絶縁体を射出成型することにより構成される。
【００２８】
このようにプラグ２を構成することで、一方基板Ｐ１との接続面内においては、プラス信号用接続部２１ａａ及びマイナス信号用接続部２１ａｂと、接地用の一方接続部２１ａは列方向に交互に配列され、端子の配列は千鳥配列が実現される。
【００２９】
ジャック３は他方基板Ｐ２に実装されるものであって、図７（ａ）に示すように、他方基板Ｐ２に電気的に接続される他方接続部３１ａと、プラグ２側の接触子２１ｂに対応する被接触子３１ｂと、被接触子３１ｂと他方接続部３１ａを接続する他方導体部３１ｃと、を含み、他方接続部３１ａと被接触子３１ｂとは相互に垂直をなし、被接触子３１ｂは他方導体部３１ｃ側に対して反対側が４５度捩られる形態に形成される。なお、図３に示したプラグ２側の一方導体部２１ｃに対して被接触子を除く部分は同様の構成であり、プレス加工における捩る工程の前の半完成品においては共通化を図っている。
【００３０】
被接触子３１ｂは接触子２１ｂに対応させて、接触子２１ｂがプラグ２とジャック３が嵌合されて嵌合方向に挿入されることにより、側方に押し退けられて接圧を確保するための、嵌合方向に対して傾斜する形態の傾斜部と、分岐する形態の分岐部の双方を有している。
【００３１】
信号用の被接触子３１ｂは一対のプラス信号用被接触子３１ｂａとマイナス信号用被接触子３１ｂｂを含み、プラス信号用被接触子３１ｂａとマイナス信号用接触子３１ｂａにそれぞれ対応させて、信号用の他方導体部３１ｃは一対のプラス信号用導体部３１ｃａとマイナス信号用導体部３１ｃｂを含み、信号用の他方接続部３１ａは一対のプラス信号用接続部３１ａａとマイナス信号用接続部３１ａｂを含む。
【００３２】
この場合も、プラス信号用接続部３１ａａ及びマイナス信号用接続部３１ａｂと、接地用の他方接続部３１ａは他方基板Ｐ２との接続面内において嵌合方向に等間隔に配列され、全体として、適宜の材質の絶縁体を射出成型することにより構成されるフレーム３２により外包されて、ジャックモジュール３０を構成する。プラグ２側と同様に、列方向に異なる二の種別を設けて嵌合方向に配列をずらすことにより、プラス信号用接続部３１ａａ及びマイナス信号用接続部３１ａｂと、接地用の他方接続部３１ａは列方向に交互に配列され、端子の千鳥配列が実現される。
【００３３】
図７（ａ）に示すように、一対のプラス信号用被接触子３１ｂａとマイナス信号用被接触子３１ｂｂは、それぞれが属する他方導体板３１のプラス信号用導体部３１ｃａとマイナス信号用導体部３１ｃｂ側の根元に対して反対側が同一の方向に４５度に捩られている。プラス信号用導体部３１ｃａに対してプラス信号用被接触子３１ｂａは、図７中右方にオフセットされながら捩られ、マイナス信号用導体部３１ｃｂに対してマイナス信号用被接触子３１ｂｂは図７中左方にオフセットされながら捩られる。
【００３４】
つまり一対のプラス信号用被接触子３１ｂａとマイナス信号用被接触子３１ｂｂは、対向面内において列方向に相互に逆方向にオフセットされながら同一方向に捩られており、対向面内において、相互に対向しながら平行をなす。すなわち、図７（ｂ）に示すように、対向面内において、プラス信号用被接触子３１ｂａとマイナス信号用被接触子３１ｂｂは、それぞれの有する二股形状の並列する幅方向が相互に平行をなし、二股形状の幅方向の端部を相互に揃えて配置される。
【００３５】
ここでも、他方導体板３１は、銅合金等の導電性と弾性を有する単一の弾性部材を適宜プレス加工、折り曲げ加工等を施すことにより構成される。他方導体板３１の被接触子３１ｂの表面については必要により適宜メッキ処理がなされる。
【００３６】
この相互に異なる種別のジャックモジュール３０を、図１に示すように、交互に列方向に８列並列して積層し、プラグ２との嵌合を可能とする被嵌合口部３３により一体的に束ねることにより、ジャック３が構成される。被嵌合口部３３も、適宜の材質の絶縁体を射出成型することにより構成される
ここで、図１及び図２に示すように、接触子２１の捩られる方向と被接触子３１の捩られる方向は対向面内において同一であるものとしている。これにより、図８に示すように、プラグ２とジャック３が嵌合可能となる。
【００３７】
接触子２１及び被接触子３１はコネクタ１つまりプラグ２とジャック３を嵌合させた状態で嵌合方向から視た場合に、行列をなして配列されるとともに、行方向において隣接する接触子２１及び被接触子３１の組合せの一方は接地用であり他方は信号用である。接触子２１及び被接触子３１は列単位に形成されるプラグモジュール２０又はジャックモジュール３０毎に行方向に配列される。
【００３８】
また、列方向において隣接する接触子２１及び被接触子３１の組合せの一方は接地用であり他方は信号用であることとしている。さらに、一方導体部２１ｃ及び他方導体部３１ｃは行列をなして配列されるとともに、行方向及び列方向において隣接する一方導体部２１ｃ及び他方導体部３１ｃの組合せの一方は接地用であり他方は信号用であることとしている。
【００３９】
これらのことに加えて、図９に示すように、接地用の接触子２１ｂを相互に電気的に接続するグランド板金２４（接地用板金）を含む。グランド板金２４は、図１０に示すように、プラグ２の嵌合口部２３の内側に収納可能な長方形状の外輪郭形状を有しており、プラグ２の有する、一対のプラス信号用接触子２１ｂａとマイナス信号用接触子２１ｂｂへの接触を回避する例えば八角形状の孔部２４ａと、接地用の接触子２１ｂの被接触子３１ｂとの接触面以外の側面に嵌合可能な嵌合穴部２４ｂを有している。
【００４０】
嵌合穴部２４ｂは接触子２１ｂの側面を両側から挟持する一対の挟持部２４ｂａを有しており、図１１中において、プラグ２に対してグランド板金２４を後方にスライドさせて装着する際、孔部２４ａは、一対のプラス信号用接触子２１ｂａとマイナス信号用接触子２１ｂｂを手前側に挿通させ、嵌合穴部２４ｂは、接触子２１ｂの接触面以外の側面に対して挟持部２４ｂａのみが接触される。これによりグランド板金２４はプラグ２の接地用の接触子２１ｂに対して固定されるとともに、図示しない適宜の接地経路に接続されて複数の接地用の接触子２１ｂをまとめて接地する。
【００４１】
なお、上述した実施例において、行方向とはプラグ２、ジャック３においてそれぞれ接続対象となる基板への接続面に垂直な面方向を指し、プラグモジュール２０又はジャックモジュール３０内で端子が並列される方向である。列方向はプラグモジュール２０又はジャックモジュール３０が積層される方向である。嵌合方向は行方向及び列方向の双方に垂直な方向である。
【００４２】
以上述べた本実施例のコネクタ１によれば、以下に述べるような有利な作用効果を得ることができる。すなわち、一方基板Ｐ１と他方基板Ｐ２が交差する関係を有している場合においても、これらに対してそれぞれプラグ２及びジャック３を接続して、プラグ２とジャック３を嵌合することにより、一方基板Ｐ１と他方基板Ｐ２の中間に位置して双方に対して垂直な所謂バックプレーン基板を介在させることなく、一方基板Ｐ１と他方基板Ｐ２を電気的に接続することができる。
【００４３】
この構成とすることで、一方基板Ｐ１内の電子部品と他方基板Ｐ２内の電子部品を電気的に接続するにあたって、接続経路に介在する接点の数を減らすとともに上述したバックプレーン基板とこのバックプレーン基板側のコネクタ部品を省略して、接点抵抗の増加やインピーダンスの不整合を回避して、伝送による信号の劣化を防止することができる。また、部品点数の削減によりコストダウンを図れる。
【００４４】
また、プラグ２を構成するプラグモジュール２０と、ジャック３を構成するジャックモジュール３０の双方について、種別Ａ、Ｂを設けて、行列方向に信号用、接地用の端子を交互に配置することで、図１に示した一方基板Ｐ１と他方基板Ｐ２の相対位置を１８０度回転させても、プラグ２とジャック３とを嵌合して接続することが可能となる。
【００４５】
さらにバックプレーン基板を省略できることで、一方基板Ｐ１及び他方基板Ｐ２をそれぞれ複数枚として、プラグ２及びジャック３を含むコネクタ１にて接続する、大型サーバやスーパーコンピュータなどの比較的大型の電子装置への適用を考慮した場合に、コネクタ１の嵌合方向に対して、多層の一方基板Ｐ１側の含む電子部品を冷却する一方側の冷却風と、多層の他方基板Ｐ２の含む電子部品を冷却する他方側の冷却風のそれぞれの方向をともに嵌合方向に一致させて、冷却風の流れを単純化することができる。このように冷却風の流れを簡単にすることでファン及びファンモータの設置数を削減してこれによってもコストダウンを図れる。
【００４６】
加えて、上述したバックプレーン基板を省略しても、多層の一方基板Ｐ１のうち任意の組合せ相互間における信号の伝送を、多層の他方基板Ｐ２のいずれかにより行い、これとは逆に、多層の他方基板Ｐ２のうち任意の組合せ相互間における信号の伝送を、多層の一方基板Ｐ１のいずれかにより行わせることができる。
【００４７】
さらに、端子配列をマトリクス状とし、隣接する端子の一方を接地用、他方を信号用とすることにより伝送特性の向上が図れる。また、信号用の端子についてはプラス用、マイナス用の双方の端子を持たせて平衡伝送とし、これによっても伝送特性の向上が図れる。
【００４８】
以上本発明の好ましい実施例について詳細に説明したが、本発明は上述した実施例に制限されることなく、本発明の範囲を逸脱することなく、上述した実施例に種々の変形および置換を加えることができる。
【００４９】
例えば、上述した実施例においてはプラグ２及びジャック３の基板への接続形態についてプレスフィット形状を用いたものとしたが、基板側のプレスフィット形状に対応するスルーホールをパッドとし、プレスフィット形状を接点形状に置換することも、半田接合とすることもできる。
【００５０】
また、上述した実施例においては、信号側の接触子２１ｂ及び被接触子３１ｂについて平衡伝送による伝送特性の向上を考慮してプラス用とマイナス用のそれぞれの端子を具備するものとしているが、単一の接触子、被接触子とすることももちろん可能である。端子配列のなす行列についても上述したような正方行列のほか正方でない行列とすることも可能である。
【産業上の利用可能性】
【００５１】
本発明は、コネクタに関するものであり、相互に捻れの関係にある一方基板と他方基板を適切に電気的接続することができ、プラグとジャック及びこれらを含むコネクタを含むものである。このため、本発明は一方基板及び他方基板をともに多層とする構成において、特により効率的な冷却を行うことが必要とされる産業上の電子機器に適用して有益なものである。もちろん、家庭用、オフィス用の電子機器においても適用することは可能である。
【符号の説明】
【００５２】
１      コネクタ
２      プラグ
２０    プラグモジュール
２１    一方導体板
２１ａ  一方接続部
２１ｂ  接触子
２１ｃ  一方導体部
２２    フレーム
２３    嵌合口部
２４    グランド板金（接地用板金）
３      ジャック
３０    ジャックモジュール
３１    他方導体板
３１ａ  他方接続部
３１ｂ  被接触子
３１ｃ  他方導体部
３２    フレーム
３３    被嵌合口部
【図１】
2013134926.tif 000003
【図２】
2013134926.tif 000004
【図３】
2013134926.tif 000005
【図４】
2013134926.tif 000006
【図５】
2013134926.tif 000007
【図６】
2013134926.tif 000008
【図７】
2013134926.tif 000009
【図８】
2013134926.tif 000010
【図９】
2013134926.tif 000011
【図１０】
2013134926.tif 000012
【図１１】
2013134926.tif 000013